(57)【要約】  本発明は、セルラ通信ネットワークにおける干渉を減少させる方法および装置に関する。ネットワークの無線基地局が少なくとも第１のセルにサービスを提供するように構成される。第１のセルでは、第１のセル内のＵＥに対してリンクアダプテーション方式を選択することによって干渉が減少する。装置は、推定されたチャネル品質を示す測定値を受信する手段と、少なくとも第１のセル内の以後のＵＥのスケジューリングの情報に基づき、受信した推定チャネル品質の測定値を調節することによって以後の送信に対するチャネル品質を推定する手段と、以後の送信に対するチャネル品質の推定値に基づき送信電力レベルを含むリンクアダプテーション方式を選択する手段とを備える。
2011517203.tif 000002
【特許請求の範囲】
【請求項１】
セルラ通信ネットワークにおける干渉を減少させる方法であって、前記セルラ通信ネットワークの無線基地局が少なくとも第１のセルにサービスを提供するように構成されており、前記第１のセルでは、該第１のセル内のＵＥに対してリンクアダプテーション方式を選択することによって干渉が減少し、
前記方法は、
推定されたチャネル品質を示す測定値を受信する受信ステップと、
少なくとも前記第１のセル内における以後のＵＥのスケジューリングを示す情報に基づいて、受信した前記推定されたチャネル品質を示す測定値を調節することによって、以後の送信に対するチャネル品質を推定する推定ステップと、
前記以後の送信に対するチャネル品質の推定値に基づき、送信電力レベルを含むリンクアダプテーション方式を選択する選択ステップと
を有することを特徴とする方法。
【請求項２】
前記無線基地局は、少なくとも第２のセルにもサービスを提供するように構成されており、
前記推定ステップは、
前記第１のセルと前記第２のセルとにおけるＵＥに対する以降のスケジューリングを示す情報に基づいて、受信した前記推定されたチャネル品質を示す測定値を調節することによって、以後の送信に対するチャネル品質を推定するステップ
を含むことを特徴とする請求項１に記載の方法。
【請求項３】
前記方法は、さらに、
前記選択ステップにおいて選択されたリンクアダプテーション方式に基づいて、スケジューリングされたＵＥのそれぞれについて選択された前記リンクアダプテーション方式を継続して使用できるようにするために、受信機がどの程度のノイズまでを許容可能かを示すノイズマージンを決定するステップ
を有し、
前記推定ステップは、さらに、
前記少なくとも第２のセルにおける送信によって引き起こされる妨害を求めるステップと、
他の送信について順次選択されたリンクアダプテーションについて選択されている送信電力が使用されている状況で、前記第１のセル内に存在している他の送信機によって前記第１のセルにおける送信によって引き起こされる妨害を求めるステップと、
リンクアダプテーションについて求められた前記ノイズマージンを、前記他の送信について順次選択されたリンクアダプテーションについての上限値として使用するステップと
を含む
ことを特徴とする請求項２に記載の方法。
【請求項４】
前記以後の送信に対するチャネル品質を推定する際に、隣接したセルから少なくとも前記第１のセルと前記第２のセルとに対する干渉が考慮されることを特徴とする請求項２または３に記載の方法。
【請求項５】
リソースブロックごとの、無線基地局の送信電力と、スケジューリングされたＵＥのそれぞれについてのノイズマージンと、前記スケジューリングされたＵＥのそれぞれについての識別情報とを含むセルテーブルを保持することを特徴とする請求項１ないし４のいずれか１項に記載の方法。
【請求項６】
前記第１のセルに存在しているＵＥのそれぞれについて、リソースブロックごとの前記第２のセルからのパス損失を含むＵＥテーブルを保持することを特徴とする請求項５に記載の方法。
【請求項７】
前記第１のセルに存在している受信機への経路損失と、スケジューリングされた送信電力とによって、前記少なくとも第２のセルにおける送信によって引き起こされる妨害を求めることを特徴とする請求項１ないし６のいずれか１項に記載の方法。
【請求項８】
前記経路損失は、前記ＵＥによる隣接セルについての測定報告によって決定されることを特徴とする請求項７に記載の方法。
【請求項９】
前記経路損失は、前記第２のセルについてスケジューリングされた送信電力と、前記第１のセルに存在しているＵＥによるＣＱＩ報告とを比較することで、決定されることを特徴とする請求項７に記載の方法。
【請求項１０】
前記経路損失は、前記第１のセルの無線基地局が備える受信機によって、前記第２のセル内に存在しているＵＥの送信信号を受信することによって、決定されることを特徴とする請求項７に記載の方法。
【請求項１１】
前記第１のセル内における他の送信によって引き起こされる前記妨害は、スケジューリングされた送信電力と、前記送信についての非直交特性のモデルとによって決定されることを特徴とする請求項１ないし６のいずれか１項に記載の方法。
【請求項１２】
前記モデルは、前記スケジューリングされた送信電力に比例する、隣接した周波数におけるノイズを導出するモデルであることを特徴とする請求項１１に記載の方法。
【請求項１３】
前記モデルは、前記スケジューリングされた送信電力に比例する、直後のサブフレームにおけるノイズを導出するモデルであることを特徴とする請求項１１に記載の方法。
【請求項１４】
セルラ通信ネットワークにおける干渉を減少させる装置であって、前記セルラ通信ネットワークの無線基地局は少なくとも第１のセルにサービスを提供するように構成されており、前記第１のセルにおけるＵＥに対するリンクアダプテーション方式を選択することによって干渉を減少させようとするものであり、
前記装置は、
推定されたチャネル品質を示す測定値を受信する受信手段と、
少なくとも前記第１のセル内における以後のＵＥのスケジューリングを示す情報に基づいて、受信した前記推定されたチャネル品質を示す測定値を調節することによって、以後の送信に対するチャネル品質を推定する推定手段と、
前記以後の送信に対するチャネル品質の推定値に基づき、送信電力レベルを含むリンクアダプテーション方式を選択する選択手段と
を備えることを特徴とする装置。
【請求項１５】
前記無線基地局は、少なくとも第２のセルにもサービスを提供するように構成されており、
前記推定手段は、
前記第１のセルと前記第２のセルとにおけるＵＥに対する以降のスケジューリングを示す情報に基づいて、受信した前記推定されたチャネル品質を示す測定値を調節することによって、以後の送信に対するチャネル品質を推定するとを特徴とする請求項１４に記載の装置。
【請求項１６】
前記装置は、さらに、
前記選択手段において選択されたリンクアダプテーション方式に基づいて、スケジューリングされたＵＥのそれぞれについて選択された前記リンクアダプテーション方式を継続して使用できるようにするために、受信機がどの程度のノイズまでを許容可能かを示すノイズマージンを決定する手段
を有し、
前記推定手段は、さらに、
前記少なくとも第２のセルにおける送信によって引き起こされる妨害を求め、
他の送信について順次選択されたリンクアダプテーションについて選択されている送信電力が使用されている状況で、前記第１のセル内に存在している他の送信機によって前記第１のセルにおける送信によって引き起こされる妨害を求めるように構成されており、
リンクアダプテーションについて求められた前記ノイズマージンは、前記他の送信について順次選択されたリンクアダプテーションについての上限値として使用されることを特徴とする請求項１５に記載の装置。
【請求項１７】
前記装置は、
前記以後の送信に対するチャネル品質を推定する際に、隣接したセルから少なくとも前記第１のセルと前記第２のセルとに対する干渉を考慮することを特徴とする請求項１５または１６に記載の装置。
【請求項１８】
前記装置は、リソースブロックごとの、無線基地局の送信電力と、スケジューリングされたＵＥのそれぞれについてのノイズマージンと、前記スケジューリングされたＵＥのそれぞれについての識別情報とを含むセルテーブルを保持することを特徴とする請求項１４ないし１７のいずれか１項に記載の装置。
【請求項１９】
前記装置は、前記第１のセルに存在しているＵＥのそれぞれについて、リソースブロックごとの前記第２のセルからのパス損失を含むＵＥテーブルを保持することを特徴とする請求項１８に記載の装置。
【請求項２０】
前記装置は、前記第１のセルに存在している受信機への経路損失と、スケジューリングされた送信電力とによって、前記少なくとも第２のセルにおける送信によって引き起こされる妨害を求めることを特徴とする請求項１４ないし１９のいずれか１項に記載の装置。
【請求項２１】
前記装置は、前記ＵＥによる隣接セルについての測定報告によって前記経路損失を決定することを特徴とする請求項２０に記載の装置。
【請求項２２】
前記装置は、前記第２のセルについてスケジューリングされた送信電力と、前記第１のセルに存在しているＵＥによるＣＱＩ報告とを比較することで、前記経路損失を決定することを特徴とする請求項２０に記載の装置。
【請求項２３】
前記装置は、前記第１のセルの無線基地局が備える受信機によって、前記第２のセル内に存在しているＵＥの送信信号を受信することによって、前記経路損失を決定することを特徴とする請求項２０に記載の装置。
【請求項２４】
前記装置は、前記第１のセル内における他の送信によって引き起こされる前記妨害を、スケジューリングされた送信電力と、前記送信についての非直交特性のモデルとによって決定することを特徴とする請求項１４ないし２３のいずれか１項に記載の装置。
【請求項２５】
前記モデルは、前記スケジューリングされた送信電力に比例する、隣接した周波数におけるノイズを導出するモデルであることを特徴とする請求項２４に記載の装置。
【請求項２６】
前記モデルは、前記スケジューリングされた送信電力に比例する、直後のサブフレームにおけるノイズを導出するモデルであることを特徴とする請求項１３に記載の装置。
【発明の詳細な説明】
【技術分野】
【０００１】
本発明は、無線通信ネットワークにおける方法および装置に関する。特に、干渉を軽減する方法および装置に関する。
【背景技術】
【０００２】
パケットベースの無線通信ネットワークにおいてリンクアダプテーションを行うためには、干渉レベルを正確に推定することが非常に重要である。リンクアダプテーションは、変調方式、符号化方式、送信電力およびＭＩＭＯ（Ｍｕｌｔｉｐｌｅ  Ｉｎｐｕｔ  Ｍｕｌｔｉｐｌｅ  Ｏｕｔｐｕｔ）設定の少なくとも１つを、現在の伝送状況に適合するように決定することを意味する。
【０００３】
干渉は、複数の送信が協調していないことから生じる。この送信の非協調は、他の無線基地局によって、または自無線基地局が制御する送信で生じることがある。
【０００４】
そのようなパケットベースの無線通信ネットワークの一例は、ＬＴＥ（Ｌｏｎｇ  Ｔｅｒｍ  Ｅｖｏｌｕｔｉｏｎ）ネットワークである。ＬＴＥネットワークは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）標準を、データレートの高速化、効率向上、コスト低減等のようなサービス向上に関する将来の要件に対応する高速パケットアクセス機能を使用して改善するために、第３世代パートナーシッププロジェクト（３ＧＰＰ）内のプロジェクトである３ＧＰＰ  ＬＴＥ（Ｌｏｎｇ  Ｔｅｒｍ  Ｅｖｏｌｕｔｉｏｎ）によって標準化されている。
【０００５】
無線通信ネットワークは、図１に示されるように無線基地局１１０に無線接続されたユーザ装置（ＵＥ）１２０を通常備える。無線ネットワークアーキテクチャは、適用される技術に依存して異なってもよい。ＬＴＥでは、無線基地局１１０はコアネットワーク（ＣＮ）１００に直接接続される。このコアネットワーク（ＣＮ）１００はセルラ通信システムを別のシステムに相互接続するように構成されている。さらに、無線基地局は、主にシグナリング情報を交換するために相互に接続されている。
【０００６】
既存のネットワークにおいては、送信を現在の干渉状態に適応させるために、リンクアダプテーションが、ＣＱＩ（チャネル品質インジケータ、Channel Quality Indicator）測定報告および受信電力レベル測定報告に基づき実行される。ＣＱＩ報告は、周波数範囲にわたる基準シンボルの信号対雑音プラス干渉比を示すインジケーションを有する。ダウンリンク（ＤＬ）においては、ＵＥが所定の基準信号を測定してＣＱＩおよび電力の測定値を報告し、チャネル品質が周波数帯にわたりどのように異なるかの情報を提供する。アップリンク（ＵＬ）においては、無線基地局が受信信号の品質を測定する。ＵＥが周波数帯の他の部分も最近使用している場合、無線基地局が周波数依存のある種の認識を利用可能なことがある。
【０００７】
次いで、ＣＱＩ報告および受信信号レベル報告は、適切な変調方式、符号化方式、送信電力およびＭＩＭＯ設定を決定するために使用され、これはリンクアダプテーションと呼ばれる。リンクアダプテーションは、一度に１つのＵＥに対して行われ、各サブフレームに対して繰り返される。ＬＴＥネットワークでは、サブフレームは１ｍｓである。
【０００８】
あるＵＥに関するチャネル品質は、このＵＥに関する経路損失、予想送信電力および経験した干渉から計算される。あるＵＥに対する干渉は、他のＵＥへの送信および他のＵＥからの送信によって一部引き起こされるので、過去に経験した干渉は、スケジュールされたタイムフレームに存在する干渉とは同じではないだろう。
【発明の概要】
【発明が解決しようとする課題】
【０００９】
ＵＥが第１のセルのセル境界にあるかまたはその近くにあり、それ故に劣悪なチャネル状態に直面している状況においては、ＵＥは、例えば隣接セル内の他のＵＥによって引き起こされる（ＵＬ）干渉、または第１のセルの隣接セルをカバーする無線基地局によって引き起こされる干渉に、非常に敏感である。それ故、隣接セル内で送信電力を割り当てるとき、干渉に敏感なＵＥに関する干渉レベルの正確な情報を有することが重要である。
【００１０】
従って、本発明の目的は、スケジュールされたＵＥへの干渉を制御すると同時に、ネットワーク容量を増加することである。
【課題を解決するための手段】
【００１１】
本発明の第１の態様によれば、セルラ通信ネットワークにおける干渉を減少する方法が提供される。セルラ通信ネットワークは、少なくとも第１のセルにサービスを提供するように構成された無線基地局を備え、この第１のセルにおける干渉が、第１のセル内のＵＥに対するリンクアダプテーションスキーム（方式）を選択することによって減少する。方法では、推定チャネル品質測定値が受信される。次いで、以後の送信に対するチャネル品質が、少なくとも第１のセル内の以後のＵＥスケジューリングの情報に基づき、受信した推定チャネル品質測定値を調節することによって推定される。それに応じて、以後の送信に対するチャネル品質推定値に基づき、送信電力レベルを含むリンクアダプテーション方式が選択される。
【００１２】
本発明の第２の態様によれば、セルラ通信ネットワークにおける干渉を減少する装置が提供される。セルラネットワークは、少なくとも第１のセルにサービスを提供するように構成された無線基地局を備え、この第１のセルにおける干渉が、第１のセル内のＵＥに対するリンクアダプテーション方式を選択することによって減少される。装置は、推定チャネル品質測定値を受信する手段と、少なくとも第１のセル内の以後のＵＥスケジューリングの情報に基づき、受信した推定チャネル品質測定値を調節することによって以後の送信に対するチャネル品質を推定する手段とを備える。さらに、装置は、以後の送信に対するチャネル品質推定値に基づき、送信電力レベルを含むリンクアダプテーション方式を選択する手段を備える。
【００１３】
一実施形態によれば、無線基地局は、少なくとも第２のセルにサービスを提供するようにさらに構成され、以後の送信に対するチャネル品質が、少なくとも第１のセルおよび第２のセル内の以後のＵＥスケジューリングの情報に基づき、受信した推定チャネル品質測定値を調節することによって推定される。
【００１４】
別の実施形態によれば、リンクアダプテーションを逐次実行しうるようにノイズマージンが導入される。選択したリンクアダプテーション方式に基づき、ノイズマージンが決定される。ノイズマージンは、各スケジュールされたＵＥに対して選択したリンクアダプテーション方式を維持可能であるために、受信機がどのくらい大きなノイズを許容されるかを示す。以後の送信に対するチャネル品質の推定は、少なくとも第２のセル内の送信によって引き起こされる妨害の判定と、第１のセル内の他の送信機による第１のセル内の送信によって引き起こされる妨害の判定とを備える。選択された送信電力は、他の送信の逐次リンクアダプテーションのためにさらに使用され、リンクアダプテーションのノイズマージンは、他の送信の逐次リンクアダプテーションに対する上限として使用される。さらなる送信がスケジュールされるとき、ノイズマージンは適宜更新される。
【００１５】
本発明の実施形態の一利点は、電力設定、変調および符号化の選択の改善が可能であり、それにより再送信の回数が減少し、より大きなシステム容量およびより短いレイテンシ（遅延）をもたらすことである。これは、ユーザエクスペリエンス（体感）の改善をもたらす。
【００１６】
別の利点は、本発明の実施形態が非同期アップリンクおよびマルチユーザＭＩＭＯに対してサポートを提供することである。
【００１７】
本発明の実施形態のまた別の利点は、ノイズマージンの算出により計算回数が最小限になることである。
【００１８】
本発明の実施形態のまた別の利点は、システムがタイミングアドバンス不良に対してよりロバストなので、タイミングアドバンスメッセージを送信する必要が少ないことである。
【００１９】
本発明について、添付の図面を参照して以下でより詳細に記述する。
【図面の簡単な説明】
【００２０】
【図１】本発明を実施しうる無線通信ネットワークを概略的に示す図である
【図２】先行技術による隣接チャネル漏洩を示す図である。
【図３ａ】本発明の一実施形態によるセルテーブルを示す図である。
【図３ｂ】本発明の一実施形態によるＵＥテーブルを示す図である。
【図４】本発明の一実施形態による方法のフロー図である。
【図５】本発明の一実施形態による方法のフロー図である。
【図６】本発明の実施形態を使用しうる一シナリオ例を示す図である。
【図７】本発明の一実施形態による装置を概略的に示す図である。
【発明を実施するための形態】
【００２１】
以下の記述では、本発明の完全な理解を提供する手段として、限定でなく説明のために、特定の順番で実行される複数のステップ、シグナリングプロトコルおよびデバイス構成などの具体的な詳細を記載する。本発明がこれらの具体的な詳細から離れた他の実施形態で実践されてもよいことは、当業者には明らかであろう。
【００２２】
さらに、当業者は、本明細書の以下で説明する機能および手段が、プログラム式マイクロプロセッサ(programmed microprocessor)もしくは汎用コンピュータで動作するソフトウェアを使用して、および／または特定用途向け集積回路（ＡＳＩＣ）を使用して実施されてもよいことも理解するであろう。本発明について方法およびデバイスの形態で主に記述しているが、本発明はまた、コンピュータプログラムに加えて、コンピュータプロセッサおよびそのプロセッサに連結していて、かつ本明細書に開示の機能を実行しうる１つ以上のプログラムがエンコードされたメモリを備えるシステムで具体化されてもよいことも理解されるであろう。
【００２３】
上述のように、あるＵＥに対する干渉は、他のＵＥへの送信および他のＵＥからの送信によって一部引き起こされ、それ故、過去に経験した干渉は、スケジュールされたタイムフレームに存在する干渉とは同じではないであろう。さらに、干渉は、測定時とスケジューリング時との間のある無線基地局によるＵＥのスケジューリングの違いにも依存するであろう。この種の無線基地局内干渉は、例えばＵＥ送信機がかなり大きい隣接チャネル漏洩を有するなどによって引き起こされうる。すなわち、図２に示されるように、ＵＥが周波数帯２００の部分で送信するように要求された場合、隣接した周波数部分２１０への妨害波も送信するであろう。
【００２４】
無線基地局内干渉は、タイムアライメントが未知のＵＥが続くタイムスロットで妨害を起こしうることにも依存することがある。さらに、１つの無線基地局からサービスされる複数のセルはたいてい重なり合っており、その結果、あるセル内のダウンリンク（ＤＬ）伝送は同じ無線基地局の他のセル内に妨害を引き起こす。妨害の特性は、使用されているビーム形成に依存する。
【００２５】
本発明によれば、あるＴＴＩ（送信時間間隔）に関するＵＥのスケジューリング時において、あるＵＥに対するリンクアダプテーション、すなわち変調方式、符号化方式、周波数割り当ておよび送信電力の選択は、同じＴＴＩにスケジュールされた他のＵＥによって引き起こされる干渉を考慮に入れて決定される。
【００２６】
従って、上述の目的課題は、以後の送信に対する干渉を計算するとき、ＵＥスケジューラの情報を使用することによって達成される。各無線基地局は、無線基地局がサービスを提供するセル内のＵＥをスケジュールするように構成されたＵＥスケジューラと連携する。自無線基地局に関するスケジューリングが測定時とスケジューリング時の両方において既知なので、それに応じてＣＱＩを修正しうる。当初の干渉測定値は、まずＣＱＩ値を算出するために使用され、次いで当初の干渉測定値は、自無線基地局内のアップリンクに関してはＵＥの、またはダウンリンクに関しては無線基地局の、電力および周波数リソースをスケジューラがどのように割り当てたかの情報を考慮して調節される。次いで、改善されたＣＱＩ値が提供されてもよい。
【００２７】
すなわち、信号／（雑音＋古い干渉）の測定値である報告されたＣＱＩ値が、まず古い干渉を推定し、次いで信号／（雑音＋新しい干渉）を推定することによって修正される。ここで、新しい干渉には、無線基地局スケジューラが気付いていてスケジュールしようとしているＵＥによって引き起こされる干渉が含まれている。これに加えて、リンクアダプテーションの再実行が必要となる恐れをできるだけ少なくするために、ターゲットノイズマージンが加算されてもよい。
【００２８】
セルラ通信ネットワークにおける干渉を減少する方法および装置が提供される。セルラ通信ネットワークは、少なくとも第１のセルにサービスを提供するように構成された少なくとも１つの無線基地局を備え、この第１のセルにおける干渉が、第１のセル内のＵＥに対する符号化率、変調方式、送信電力およびＭＩＭＯモードを含むリンクアダプテーション方式を選択することによって減少される。推定チャネル品質測定値（ＣＱＩ報告）が受信され、以後の送信に対するチャネル品質が、少なくとも第１のセル内の以後のＵＥスケジューリングの情報に基づき、受信した推定チャネル品質測定値を調節することによって推定される。次いでリンクアダプテーション方式が、以後の送信に対するチャネル品質推定値に基づき選択される。このように、どのＵＥがスケジュールされているかの情報を利用することによって、以後の送信に対する干渉を判定することが可能であり、より適切なリンクアダプテーション方式を選択しうることを暗示している。
【００２９】
さらに、以後の送信に対するチャネル品質を推定するとき、周囲のセルからセルＡへの干渉が考慮されてもよい。例えば、隣接セルからの平均ノイズレベルの推定値はターゲットノイズマージンのデフォルトとして使用されてもよい。
【００３０】
注目すべきは、本発明にかかる方法および装置がアップリンクにもダウンリンクにも適用可能なことである。
【００３１】
干渉をさらに軽減するために、選択されたリンクアダプテーション方式に基づきノイズマージンが決定される。ノイズマージンは、選択されたリンクアダプテーション方式を維持可能とするために、ＵＥがどのくらい大きなノイズを受け入れられるかを示す。ここでノイズマージンについて、図６に示されるセルＡ、セルＢおよびセルＣの３つのセルにサービスを提供する１つの無線基地局を有する以下のシナリオで説明する。セルＡ内のＵＥ２がセル境界の近くにあるとき、ＵＥ２は干渉に非常に敏感なことがあり、このことは、隣接セルＢおよび隣接セルＣ内の電力増加によって、ＵＥ２が現在のリンクアダプテーションに対して大きすぎる干渉レベルに直面するかもしれないことを暗示する。
【００３２】
それ故、隣接セル内のＵＥ、特に既に劣悪なチャネル状態にある隣接セル内のＵＥを妨害することなしに、ネットワーク容量を増加できることが望ましい。
【００３３】
従って、本発明の一実施形態は、上記のシナリオに関する。第１のセル（セルＡ）内のＵＥ（ＵＥ２）に対するリンクアダプテーション方式を選択することによって、干渉が減少する。リンクアダプテーション方式には、符号化率、変調方式、送信電力およびＭＩＭＯモードを含む。推定チャネル品質測定値が、例えばチャネル品質インジケータ（ＣＱＩ）と呼ばれるパラメータの受信などによって受信される。次いで、以後の送信に対するチャネル品質がスケジュールされたＵＥの情報に基づき推定され、（上記の送信電力レベルを含む）リンクアダプテーション方式が、上述のように以後のチャネル品質推定値に基づき選択される。
【００３４】
次いで、選択されたリンクアダプテーション方式を維持可能とするために、ＵＥがどのくらい大きなノイズを受け入れられるかを示すノイズマージンが、選択されたリンクアダプテーション方式に基づき、各スケジュールされたＵＥに対して決定される。
【００３５】
以後の送信に対するチャネル品質の推定は、本発明に従って、少なくとも第２のセル（セルＢ）内の送信によって引き起こされる妨害を判定し、かつ第１のセル（セルＡ）内の他の送信機による第１のセル内の送信によって引き起こされる妨害を判定することによって成し遂げられる。さらに、（リンクアダプテーション方式に含まれる）選択された送信電力レベルは、他の送信の逐次リンクアダプテーションのために使用され、そこでは、ノイズマージンが前述の他の送信の逐次リンクアダプテーションに対する上限として使用される。
【００３６】
ダウンリンク干渉を減少させる手段として、セルＡに関するセルテーブルは、図３ａに示されるように、物理リソースブロック（ＰＲＢ、Physical Resource Block）ごとに作成されて保持され、無線基地局電力、スケジュールされたＵＥに対するノイズマージン、およびスケジュールされたＵＥのアイデンティティを備える。物理リソースブロックは、データおよび制御情報を送信しうる物理リソースであることに注目すべきである。例えば、物理リソースブロックは限られた期間中に使用される相当数の周波数から成ってもよい。さらに、セルＡ内の各ＵＥに関するＵＥテーブルは、図３ｂに示されるように、リソースブロックごとに作成されて保持され、セルＢからの経路損失および妥当な場合他の隣接セルからの経路損失を備える。
【００３７】
上記に応じて、ダウンリンクに関して、ダウンリンク干渉を減少するために以下のステップが実行される。これについては、図４のフロー図に示されている。
４０１：推定ダウンリンクチャネル品質（例えばＣＱＩなどの推定値）を示す測定値を受信する。
４０２：新しい送信に対するダウンリンクチャネル品質を推定する。
４０３：新しい送信に対するダウンリンクチャネル品質について求められた推定値に基づきリンクアダプテーションを選択する
４０４：ダウンリンク方向において各スケジュールされたＵＥに対して選択したリンクアダプテーション方式を維持可能とするために、ＵＥがどのくらい大きなノイズを受け入れられるかを示すノイズマージンを、選択したリンクアダプテーション方式に基づき決定する。ノイズマージンは、許容可能な追加の絶対ノイズレベルまたはターゲットノイズレベルまでの相対値として表されてもよい。
【００３８】
一実施形態によれば、ステップ４０２は、ステップ４０２ａおよび４０２ｂをさらに備える。
４０２ａ：セルＢ内およびセルＣ内の送信によって引き起こされるセルＡ内の妨害を判定する。
４０２ｂ：セルＡ内の他の送信機によるセルＡ内の送信によって引き起こされるセルＡ内の妨害を判定する。
【００３９】
４０５：セルＢ内のＵＥをスケジューリングするとき、無線基地局は、セルＢに対する最大許容送信電力を決定するために、（セルテーブルから）セルＡのノイズマージンを調査し、（ＵＥテーブルから）経路損失を加算するように構成される。
【００４０】
４０６：選択したリンクアダプテーションに従って最大送信電力を決定すると直ぐに、無線基地局は、それに相応してセルテーブルにおけるセルＡ内のＵＥに対するノイズマージンを減少させる。セルＣで示される別のセル内の別のＵＥが後でスケジュールされる場合、その別のＵＥは更新されたノイズマージン値を使用するであろう。
【００４１】
アップリンク干渉を減少させる手段として、各セルは、物理リソースブロック（ＰＲＢ）ごとに入力干渉およびノイズマージンのテーブルを有し、セルＡ内の各ＵＥは、ＰＲＢごとに他の関連セルのそれぞれ例えばセルＢへの経路損失のテーブルを有する。入力干渉のテーブルは、そのサブフレームで送信するようにスケジュールされた他のＵＥから、各ＰＲＢにおいて受信する電力の程度を示す。ノイズマージンのテーブルは、最適でなくなっているＰＲＢを使用するＵＥに対してリンクアダプテーションなしに、受信機がそのＰＲＢで許容できる追加の入力干渉の量を示す。
【００４２】
アップリンクに関して、アップリンク干渉を減少するために以下のステップが実行される。これは、図５のフロー図に示されている。
５０１：無線基地局でセルＡ内のアップリンクチャネル品質を測定する。
５０２：新しい送信に対するアップリンクチャネル品質を推定する。
５０３：新しい送信に対するアップリンクチャネル品質の推定値に基づき、送信電力を含むリンクアダプテーション方式を選択する。
５０４：選択したリンクアダプテーション方式に基づき、ノイズマージンを決定する。
本発明の一実施形態によれば、ステップ５０２は、さらなるステップ５０２ａを備える。
５０２ａ：既にスケジュールされた（セルＡおよび他のセルの）ＵＥがどのくらい大きな干渉をセルＡ内に引き起こしているかを判定する。
５０５：周囲のセルのそれぞれ（セルＢ）におけるノイズマージン、第１のＵＥ（ＵＥ  Ａ）から周囲のセルのそれぞれ（セルＢ）への経路損失に基づき、第１のＵＥ（ＵＥ  Ａ）に割り当てられた各ＰＲＢに対する最大許容送信電力を決定する。
５０６：選択した送信電力に基づきノイズマージンを更新する。
【００４３】
リンクアダプテーション方式がＣＱＩ報告に基づき選択されることに注目すべきである。続いて、ノイズマージンがリンクアダプテーションのグラフから決定されるが、そのグラフでは、チャネル品質とビットレートに対して、リンクアダプテーション方式の曲線が描かれている。
【００４４】
隣接セルのノイズマージンに起因する送信電力制限によって適切なリンクアダプテーション方式を見つけられない場合がある。この場合、スケジューリングのために別のＵＥが選択されるか、または妨害を受けているセル内のＵＥがそのリンクアダプテーションを別のターゲットノイズマージンを使用して再実行する。
【００４５】
例えばセルＡなどに関するこのセル固有のテーブルを保持することによって、セルＡ内のＵＥへのダウンリンク送信を妨害することなしに、セルＢ内でどのくらいおよびどの周波数で送信電力を高めうるかを無線基地局は知得することが可能である。
【００４６】
本発明の上記の実施形態について、図６に示し、例１および例２と呼ぶ以下の例でさらに説明する。図６は、セルＡ、セルＢおよびセルＣの３つのセルを有するシナリオを示す。第１のＵＥであるＵＥ１は、セルＡ内にあり、第２のＵＥであるＵＥ２はセルＡとセルＢの両方によってカバーされた領域にあり、そして第３のＵＥであるＵＥ３はセルＢ内にある。例では、ＵＥ２はセルＡによって処理されるが、その理由はＵＥ２からセルＡへの平均経路損失がセルＢへの平均経路損失より小さいからである。両方の例とも、ダウンリンクスケジューリングおよびリンクアダプテーションに関し、以下を仮定している。
・例えば２０ＭＨｚのＬＴＥキャリアなどの１００の物理リソースブロックが割り当てられている。
・ＲＢＳは各セル内で１００Ｗ（５０ｄＢｍ）を送信できる。
・ターゲット（目標）送信電力は、ＰＲＢ当たり１Ｗ（ＰＲＢ当たり３０ｄＢｍ）である。
・システムのターゲット干渉レベルはＰＲＢ当たり−１００ｄＢｍである。これは、予め定められたターゲットまたは長い期間（例えば、幾多のミリ秒）の干渉レベルの平均化の結果でもよい。
・経路損失は、後で記述する技法のいずれかに基づき導かれる、例えば隣接セル測定報告とＣＱＩ報告とを組み合わせることによって導かれる。
図６は、各ＵＥに関してＲＢＳの３つのセルのそれぞれまでの経路損失を示しており、前にＵＥテーブルと呼んだものである。例を単純化するために、経路損失の周波数依存性は、低周波数（ＰＲＢ０〜３２）、中周波数（ＰＲＢ３３〜６５）、高周波数（ＰＲＢ６６〜９９）に対する３つの異なる値だけで示されている。値の数は、ＰＲＢ当たり１つの値まで容易に拡大しうる。
図６から分かるように、ＵＥは、隣接セルへの経路損失より自ＵＥにサービスを提供しているセルへの経路損失が小さい。
例１：ＵＥ１とＵＥ３の同時スケジューリング
まず、スケジューリングのためにＵＥ１が選択される。転送すべきデータ量に基づき、リンクアダプテーションでは以下の組み合わせを選択する。
・３０のＰＲＢでの送信、３０ｄＢのＣ／Ｉが必要
ターゲット干渉レベル−１００ｄＢｍおよび経路損失９０ｄＢ（ＰＲＢ７０〜９９を使用）に基づき、送信電力はＰＲＢ当たり２０ｄＢｍに選択される。
従って、ＵＥ１のスケジューリングの結果は、セルＡ内でＰＲＢ７０〜９９が使用され、送信電力２０ｄＢｍ／ＰＲＢおよび最大許容干渉レベル−１００ｄＢｍである。セルＡに関するセルテーブルはこれらの値で更新され、そのＵＥ１はこれらのＰＲＢにスケジュールされる。
【００４７】
次に、スケジューリングのためにＵＥ３が選択される。リンクアダプテーションに入る前に、限界条件が決定される。
・セルＡは、ＰＲＢ７０〜９９で２０ｄＢｍ／ＰＲＢの送信電力を生じる。ＵＥ３からセルＡへの経路損失が１２０ｄＢなので、これは、ＵＥ３に対してＰＲＢ当たり２０ｄＢｍ−１２０ｄＢ＝−１００ｄＢｍの干渉レベルを生じるであろう。
・セルＡはＰＲＢ７０〜９９でＰＲＢ当たり−１００ｄＢｍを超える干渉レベルを許容できず、ＵＥ１がセルＢへ１４０ｄＢの経路損失を有するので、これらのＰＲＢでの送信のために、最大限でＰＲＢ当たり−１００ｄＢｍ＋１４０＝４０ｄＢｍが許容される。
転送すべきデータ量に基づき、リンクアダプテーションでは以下の組み合わせを選択する。
・１００のＰＲＢでの送信、３５ｄＢのＣ／Ｉが必要
ターゲット干渉レベル−１００ｄＢｍおよび平均経路損失９５ｄＢに基づき、送信電力はＰＲＢ当たり３０ｄＢｍに選択される。これは、送信電力限界内である。
従って、ＵＥ２のスケジューリングの結果は、ＰＲＢ０〜９９がセルＢ内で使用され、送信電力３０ｄＢｍ／ＰＲＢおよびＰＲＢ当たり最大許容干渉レベル−１００ｄＢｍである。セルＢに関するセルテーブルがこれらの値で更新され、そのＵＥ２はこれらのＰＲＢにスケジュールされる。
結果はまた、ＵＥ３がターゲット干渉レベルである−１００ｄＢｍを生じるので、セルＡのＰＲＢ７０〜９９のノイズマージンが０ｄＢに減少される。セルＢのノイズマージンは、ＰＲＢ６７〜９９に関する改善されたＣ／Ｉが必要な平均Ｃ／Ｉに含まれたので、ＰＲＢ７０〜９９に対して０ｄＢに設定される。あるいは、ノイズマージンは、平均Ｃ／Ｉまでの利用できるマージンを示すために、ＰＲＢ７０〜９９に対して５ｄＢに設定されてもよい。これは、他のＰＲＢの干渉レベルが−１００ｄＢｍに達しない限り、他のユーザが他のセル内のこれらのＰＲＢにスケジュールされるのを可能にするであろう。
従って、例１は、うまくゆくスケジューリングシナリオを示す。
例２：ＵＥ２とＵＥ３の同時スケジューリング
まず、スケジューリングのためにＵＥ２が選択される。転送すべきデータ量に基づき、リンクアダプテーションでは以下の組み合わせを選択する。
・１０のＰＲＢでの送信、１０ｄＢのＣ／Ｉが必要
ターゲット干渉レベルＰＲＢ当たり−１００ｄＢｍおよび経路損失１２０ｄＢ（ＰＲＢ０〜９を使用）に基づき、送信電力はＰＲＢ当たり３０ｄＢｍに選択される。
従って、ＵＥ２のスケジューリングの結果は、セルＡ内でＰＲＢ０〜９が使用され、送信電力３０ｄＢｍ／ＰＲＢおよび最大許容干渉レベル−１００ｄＢｍである。セルＡに関するセルテーブルはこれらの値で更新され、そのＵＥ２はこれらのＰＲＢにスケジュールされる。
【００４８】
次に、スケジューリングのためにＵＥ３が選択される。リンクアダプテーションに入る前に、限界条件が決定される。
・セルＡは、ＰＲＢ０〜９で３０ｄＢｍ／ＰＲＢの送信電力を生じる。ＵＥ３からセルＡへの経路損失が１２０ｄＢなので、これは、ＵＥ３に対してＰＲＢ当たり３０ｄＢｍ−１２０ｄＢ＝−９０ｄＢｍの干渉レベルを生じるであろう。
・セルＡはＰＲＢ０〜９でＰＲＢ当たり−１００ｄＢｍを超える干渉レベルを許容できず、ＵＥ２はセルＢへ１２０ｄＢの経路損失を有するので、これらのＰＲＢでの送信のために、最大限でＰＲＢ当たり−１００ｄＢｍ＋１２０＝２０ｄＢｍが許容される。
転送すべきデータ量に基づき、リンクアダプテーションでは以下の組み合わせを選択する。
・１００のＰＲＢでの送信、３５ｄＢのＣ／Ｉが必要
限界条件のせいで、異なるＰＲＢの異なる電力で送信を行うようになるであろう。
ＰＲＢ０〜９に関して：ＵＥ２により引き起こされる干渉は、ＰＲＢ当たり−９０ｄＢｍである。１００ｄＢの経路損失および２０ｄＢｍの最大送信電力を有して、２０ｄＢｍ−１０ｄＢ−−９０ｄＢｍ＝１０ｄＢだけを達成しうる。
これは、求められている３５ｄＢのＣ／Ｉから遠く離れており、これらのＰＲＢは除かれそうである。ＰＲＢの１００から９０への削減は、ターゲットＣ／Ｉを３５．５ｄＢに増加するであろう。残りのＰＲＢ（ＰＲＢ１０〜９９）に関しては、ターゲット干渉レベルは、−１００ｄＢｍで送信電力の制約はない。リンクアダプテーションでは、ＰＲＢ当たり−１００ｄＢｍ＋９５ｄＢ（経路損失）＋３５．５ｄＢ（Ｃ／Ｉ）＝３０．５ｄＢｍでの送信を選択しうる。
【００４９】
従って、ＵＥ２のスケジューリングの結果は、セルＢでＰＲＢ１０〜９９が使用され、送信電力３０．５ｄＢｍ／ＰＲＢおよびＰＲＢ当たり最大許容干渉レベル−１００ｄＢｍである。セルＢに関するセルテーブルがこれらの値で更新され、そのＵＥ２はこれらのＰＲＢにスケジュールされる。
結果はまた、セルＢがＰＲＢ０〜９を使用しないので、セルＡのＰＲＢ０〜９のノイズマージンは未使用のままである。
従って、例２は、うまくいくスケジューリングシナリオを示す。
【００５０】
従って、本発明の利点は例２に示されている。ＵＥ３のリンクアダプテーションに対して限界条件が計算されていなかった場合、セルＢは、１００のすべてのＰＲＢで平均送信電力３０ｄＢｍ／ＰＲＢで送信したであろう。これは、ＵＥ１に−９０ｄＢｍの干渉およびそれに対応する０ｄＢのＣ／Ｉを引き起こしたであろう。それ故、ＵＥ１への送信は失敗したであろう。ＵＥ１への送信はまた、ＵＥ３に対するＰＲＢ０〜９におけるＣ／Ｉを２０ｄＢにしたであろう。これは、転送成功確率を下げたであろう。最悪の場合、ＵＥ１もＵＥ３も再送信を必要とし、ひいては瞬間的な容量を大幅に下げたであろう。
【００５１】
セルＡ（第１のセル）内のＵＥまたは無線基地局送信により隣接セルに引き起こされる妨害は、第１のセル内のスケジュールされた送信電力および受信機までの経路損失を使用することによって推定しうる。様々な方法について以下に例示する。
・アンテナシステム構成および公称アンテナパターンに基づき静的に計算する。
・ダウンリンクハンドオーバ測定報告（これでは、ＵＥが２つのセル内の基準シンボル間の電力関係を測定する）などのＵＥの隣接セル測定報告を使用して経路損失を推定し、ＵＬ妨害に関して相互性を使用する。
・複数（または全部）のセル内で受信された信号に関してＵＥを無線基地局において復調することにより測定されたＵＬを使用して、経路損失を推定し、ＤＬ妨害に関して相互性を使用する。
・第２のセル内のスケジュールされた送信電力と第１のセル内のＵＥからのＣＱＩ報告とを比較することによって経路損失を推定する。
【００５２】
他のセル内の送信によって引き起こされるＵＥへのＤＬ干渉は、ＵＥ報告のパイロット強度の使用により推定されてもよい。これは、無線基地局からＵＥへの経路損失に関して１つの値をもたらすであろう。改善した方法は、セル内のスケジュールされた送信電力の履歴と結果として生じたＵＥからのＣＱＩ報告とを比較するものであり、経路損失の周波数依存の推定も可能にする。
・無線基地局は、各セル内のスケジュールされた電力の履歴を保管し、ＵＥが望むとき対応するフィルタを適用する。
・ＣＱＩについてのＵＥ報告は、スケジュールされた電力と比較される。
履歴もＣＱＩ報告も周波数間隔当たりの値を有するので、各セルからＵＥへの周波数間隔（例えばＰＲＢ）当たり経路損失推定値が推定されてもよい。これは、対応するＵＥに関するＵＥテーブルの中の経路損失推定値として使用される。
同様に、経路損失のＵＬ周波数への依存は、スケジュールされたアップリンク電力と別のセル受信アンテナに結果として生じた干渉レベル測定値とを比較することによって推定されうる。
・無線基地局は、各セル内のスケジュールされたＵＥおよびそれらのスケジュールされたアップリンク電力の履歴を保管する。
・無線基地局は、各セル内のアップリンク干渉を測定し、これをスケジュールされた電力と互いに関係づける。
次いでこれは、対応するＵＥの経路損失の推定値としてＵＥテーブルで使用される。比較することにより、無線基地局がすべての受信アンテナ上のすべてのスケジュールされたＵＥをデコードできない場合にも、適切なＵＬ周波数依存ファクタを導くのが可能になるであろう。
【００５３】
様々な無線基地局セクタとＵＥとの間の周波数依存の経路損失を推定する上記の方法は、ＵＥと隣接無線基地局との間の周波数依存の経路損失の推定にも利用されうる。
【００５４】
次いで無線基地局は、ＵＬおよびＤＬにスケジュールされた送信電力（例えば、ＰＲＢ当たりの最後の１００ｍｓの平均送信電力）の情報を互いに継続的に送信する。これは、無線基地局が隣接セル内に引き起こされる干渉を最小限にするためにＵＥのＵＬ送信をどこに配置するべきかをよりよく理解し、ＵＬ経路損失（現在のＬＴＥシステムにおいて見られるようにＤＬ経路損失だけでない）に起因するハンドオーバ（ＨＯ）を開始することを可能にする。
【００５５】
図２に関連して上記で説明したように、第１のセル内の他の送信による第１のセル内の送信によって引き起こされる妨害は、スケジュールされた送信電力によっておよび伝送の非直交特性モデルによって決定されてもよい。このモデルでは、隣接周波数に対する、スケジュールされた送信電力に比例したノイズを導出するためのモデルであってもよい。さらに、このモデルでは、直後のサブフレームに、スケジュールされた送信電力に比例したノイズを導出することができる。
【００５６】
また、本発明は、図７に示される、セルラ通信ネットワークにおける干渉を減少する装置にも関する。装置７００は、いくつかの実施形態によればアップリンク干渉の減少に、そして他の実施形態によればダウンリンク干渉の減少に使用される。装置７００は、セルラ通信ネットワークの無線基地局内に実装されるように構成される。従って、セルラ通信ネットワークは、少なくとも第１のセルにサービスを提供するように構成された無線基地局を備え、この第１のセルでは、第１のセル内のＵＥに対するリンクアダプテーション方式を選択することによって干渉が減少される。装置７００は、推定チャネル品質測定値を受信する手段７０１と、少なくとも第１のセル内の以後のＵＥスケジューリングの情報に基づき、受信した推定チャネル品質測定値を調節することによって以後の送信に対するチャネル品質を推定する手段７０２とを備える。さらに装置は、以後の送信に対するチャネル品質推定値に基づき、送信電力レベルを含むリンクアダプテーション方式を選択する手段７０３を備える。
【００５７】
本発明の一実施形態によれば、無線基地局は、少なくとも第２のセルにサービスを提供するようにさらに構成され、この場合装置は、少なくとも第１のセルおよび第２のセル内の以後のＵＥスケジューリングの情報に基づき、受信した推定チャネル品質測定値を調節することによって以後の送信に対するチャネル品質を推定するように構成された推定手段を備える。このようにして、以後の送信に対するチャネル品質を推定するとき、他のセルからの干渉も考慮される。
【００５８】
他のセルにおける逐次リンクアダプテーションを実行可能にするために、上述のようにノイズマージンが導入されている。従って、一実施形態による装置は、各スケジュールされたＵＥに対して選択したリンクアダプテーション方式を維持可能であるために、選択したリンクアダプテーション方式に基づき、受信機がどのくらい大きなノイズを受け入れられるかを示すノイズマージンを決定する手段７０４を備える。以後の送信に対するチャネル品質を推定する手段は、少なくとも第２のセル内の送信によって引き起こされる妨害を判定し、かつ第１のセル内の他の送信機による第１のセル内の送信によって引き起こされる妨害を判定するようにさらに構成される。選択された送信電力は、他の送信の逐次リンクアダプテーションのためにさらに使用され、ここでリンクアダプテーションのノイズマージンは、他の送信の逐次リンクアダプテーションに対する上限として使用される。
【００５９】
本発明について（あるデバイス配置および種々の方法内のあるステップの順序を含む）特定の実施形態に関して述べているが、本発明が本明細書に記載および図示される特定の実施形態に限定されないことを当業者は認識するであろう。それ故、この開示が例証にすぎないことが理解されるはずである。それに応じて、本発明は、本明細書に添付の特許請求の範囲によってだけ限定されることを意図している。
【図１】
2011517203.tif 000003
【図２】
2011517203.tif 000004
【図３ａ】
2011517203.tif 000005
【図３ｂ】
2011517203.tif 000006
【図４】
2011517203.tif 000007
【図５】
2011517203.tif 000008
【図６】
2011517203.tif 000009
【図７】
2011517203.tif 000010
【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
セルラ通信ネットワークにおける干渉を減少させる方法であって、前記セルラ通信ネットワークの無線基地局が少なくとも第１のセルと第２のセルとにサービスを提供するように構成されており、前記第１のセルでは、該第１のセル内のＵＥに対してリンクアダプテーション方式を選択することによって干渉が減少し、
前記方法は、
推定されたチャネル品質を示す測定値を受信する受信ステップと、
少なくとも前記第１のセルと前記第２のセル内における以後のＵＥのスケジューリングを示す情報に基づいて、受信した前記推定されたチャネル品質を示す測定値を調節することによって、以後の送信に対するチャネル品質を推定する推定ステップであって、
前記少なくとも第２のセルにおける送信によって引き起こされる妨害を求めるステップと、
他の送信について順次選択されたリンクアダプテーションについて選択されている送信電力が使用されている状況で、前記第１のセル内に存在している他の送信機によって前記第１のセルにおける送信によって引き起こされる妨害を求めるステップと、
リンクアダプテーションについて求められたノイズマージンを、前記他の送信について順次選択されたリンクアダプテーションについての上限値として使用するステップと
を含む、前記推定ステップと、
前記以後の送信に対するチャネル品質の推定値に基づき、送信電力レベルを含むリンクアダプテーション方式を選択する選択ステップと、
前記選択ステップにおいて選択されたリンクアダプテーション方式に基づいて、スケジューリングされたＵＥのそれぞれについて選択された前記リンクアダプテーション方式を継続して使用できるようにするために、受信機がどの程度のノイズまでを許容可能かを示すノイズマージンを決定するステップと
を有することを特徴とする方法。
【請求項２】
前記以後の送信に対するチャネル品質を推定する際に、隣接したセルから少なくとも前記第１のセルと前記第２のセルに対する干渉が考慮されることを特徴とする請求項１に記載の方法。
【請求項３】
リソースブロックごとの、無線基地局の送信電力と、スケジューリングされたＵＥのそれぞれについてのノイズマージンと、前記スケジューリングされたＵＥのそれぞれについての識別情報とを含むセルテーブルを保持することを特徴とする請求項１または２に記載の方法。
【請求項４】
前記第１のセルに存在しているＵＥのそれぞれについて、リソースブロックごとの前記第２のセルからのパス損失を含むＵＥテーブルを保持することを特徴とする請求項３に記載の方法。
【請求項５】
前記第１のセルに存在している受信機への経路損失と、スケジューリングされた送信電力とによって、前記少なくとも第２のセルにおける送信によって引き起こされる妨害を求めることを特徴とする請求項１ないし４のいずれか１項に記載の方法。
【請求項６】
前記経路損失は、前記ＵＥによる隣接セルについての測定報告によって決定されることを特徴とする請求項５に記載の方法。
【請求項７】
前記経路損失は、前記第２のセルについてスケジューリングされた送信電力と、前記第１のセルに存在しているＵＥによるＣＱＩ報告とを比較することで、決定されることを特徴とする請求項５に記載の方法。
【請求項８】
前記経路損失は、前記第１のセルの無線基地局が備える受信機によって、前記第２のセル内に存在しているＵＥの送信信号を受信することによって、決定されることを特徴とする請求項５に記載の方法。
【請求項９】
前記第１のセル内における他の送信によって引き起こされる前記妨害は、スケジューリングされた送信電力と、前記送信についての非直交特性のモデルとによって決定されることを特徴とする請求項１ないし４のいずれか１項に記載の方法。
【請求項１０】
前記モデルは、前記スケジューリングされた送信電力に比例する、隣接した周波数におけるノイズを導出するモデルであることを特徴とする請求項９に記載の方法。
【請求項１１】
前記モデルは、前記スケジューリングされた送信電力に比例する、直後のサブフレームにおけるノイズを導出するモデルであることを特徴とする請求項９に記載の方法。
【請求項１２】
セルラ通信ネットワークにおける干渉を減少させる装置であって、前記セルラ通信ネットワークの無線基地局は少なくとも第１のセルと第２のセルとにサービスを提供するように構成されており、前記第１のセルにおけるＵＥに対するリンクアダプテーション方式を選択することによって干渉を減少させようとするものであり、
前記装置は、
推定されたチャネル品質を示す測定値を受信する受信手段と、
少なくとも前記第１のセルと前記第２のセル内における以後のＵＥのスケジューリングを示す情報に基づいて、受信した前記推定されたチャネル品質を示す測定値を調節することによって、以後の送信に対するチャネル品質を推定する推定手段であって、前記少なくとも第２のセルにおける送信によって引き起こされる妨害を求め、他の送信について順次選択されたリンクアダプテーションについて選択されている送信電力が使用されている状況で、前記第１のセル内に存在している他の送信機によって前記第１のセルにおける送信によって引き起こされる妨害を求めるように構成されており、リンクアダプテーションについて求められた前記ノイズマージンは、前記他の送信について順次選択されたリンクアダプテーションについての上限値として使用される、前記推定手段と、
前記以後の送信に対するチャネル品質の推定値に基づき、送信電力レベルを含むリンクアダプテーション方式を選択する選択手段と、
前記選択手段において選択されたリンクアダプテーション方式に基づいて、スケジューリングされたＵＥのそれぞれについて選択された前記リンクアダプテーション方式を継続して使用できるようにするために、受信機がどの程度のノイズまでを許容可能かを示すノイズマージンを決定する決定手段と
を備えることを特徴とする装置。
【請求項１３】
前記装置は、
前記以後の送信に対するチャネル品質を推定する際に、隣接したセルから前記第１のセルと前記第２のセルとのうち少なくとも一方のセルに対する干渉を考慮することを特徴とする請求項１２に記載の装置。
【請求項１４】
前記装置は、リソースブロックごとの、無線基地局の送信電力と、スケジューリングされたＵＥのそれぞれについてのノイズマージンと、前記スケジューリングされたＵＥのそれぞれについての識別情報とを含むセルテーブルを保持することを特徴とする請求項１２または１３に記載の装置。
【請求項１５】
前記装置は、前記第１のセルに存在しているＵＥのそれぞれについて、リソースブロックごとの前記第２のセルからのパス損失を含むＵＥテーブルを保持することを特徴とする請求項１４に記載の装置。
【請求項１６】
前記装置は、前記第１のセルに存在している受信機への経路損失と、スケジューリングされた送信電力とによって、前記少なくとも第２のセルにおける送信によって引き起こされる妨害を求めることを特徴とする請求項１２ないし１５のいずれか１項に記載の装置。
【請求項１７】
前記装置は、前記ＵＥによる隣接セルについての測定報告によって前記経路損失を決定することを特徴とする請求項１６に記載の装置。
【請求項１８】
前記装置は、前記第２のセルについてスケジューリングされた送信電力と、前記第１のセルに存在しているＵＥによるＣＱＩ報告とを比較することで、前記経路損失を決定することを特徴とする請求項１６に記載の装置。
【請求項１９】
前記装置は、前記第１のセルの無線基地局が備える受信機によって、前記第２のセル内に存在しているＵＥの送信信号を受信することによって、前記経路損失を決定することを特徴とする請求項１６に記載の装置。
【請求項２０】
前記装置は、前記第１のセル内における他の送信によって引き起こされる前記妨害を、スケジューリングされた送信電力と、前記送信についての非直交特性のモデルとによって決定することを特徴とする請求項１２ないし１９のいずれか１項に記載の装置。
【請求項２１】
前記モデルは、前記スケジューリングされた送信電力に比例する、隣接した周波数におけるノイズを導出するモデルであることを特徴とする請求項２０に記載の装置。
【請求項２２】
前記モデルは、前記スケジューリングされた送信電力に比例する、直後のサブフレームにおけるノイズを導出するモデルであることを特徴とする請求項２０に記載の装置。
【国際調査報告】
2011517203.tif 000011
2011517203.tif 000012
2011517203.tif 000013
2011517203.tif 000014